(57)【要約】      （修正有）【課題】識別情報表示部を外部から容易に視認できる遊技機を提供する。【解決手段】遊技機の扉に取り付けられるとともに、表示装置本体１０１と、表示装置本体１０１の背後に取り付けられる表示装置ケース１０２とを有する画像表示装置１００と、表示装置本体１０１の背面に付設され、表示装置本体１０１の識別情報７２が表示される識別情報表示部７０とを有する。表示装置ケース１０２には、識別情報表示部７０の識別情報７２の少なくとも一部を画像表示装置１００の外側から視認可能にする孔部８０が設けられる。【選択図】図２
2019088466.tif 000002
【特許請求の範囲】
【請求項１】
正面開口部を有する筐体と、
前記正面開口部を開閉可能に閉塞する扉と、
前記扉に取り付けられるとともに、表示装置本体と、該表示装置本体の背後に取り付けられる表示装置ケースとを有する画像表示装置と、
前記表示装置本体の背面に付設され、前記表示装置本体の識別情報が表示される識別情報表示部と、
を有し、
前記表示装置ケースには、前記識別情報表示部の前記識別情報の少なくとも一部を前記画像表示装置の外側から視認可能にする孔部が設けられることを特徴とする遊技機。
【請求項２】
前記識別情報が前記表示装置本体を識別するためのコード化された２次元コードを含み、前記孔部は、前記２次元コードの少なくとも一部を視認できるように開口することを特徴とする請求項１に記載の遊技機。
【請求項３】
前記識別情報が前記２次元コード以外の関連情報も含み、前記孔部は、前記関連情報も視認できるように開口することを特徴とする請求項２に記載の遊技機。
【請求項４】
前記孔部は、前記表示装置本体に電気的に接続される電気ラインを挿通できるように開口することを特徴とする請求項１から３のいずれか一項に記載の遊技機。
【請求項５】
前記孔部は、上面と、下面と、両側の側面とによって前記識別情報の少なくとも一部を視認可能にする空間を画定し、少なくとも前記下面および前記側面は、前記表示装置本体と当接して側方および下方から前記空間を閉じることを特徴とする請求項１から４のいずれか一項に記載の遊技機。
【請求項６】
前記孔部の前記上面は、前記識別情報表示部へ向けて下方へ傾斜する傾斜面として形成されることを特徴とする請求項５に記載の遊技機。
【請求項７】
前記孔部は、前記表示装置ケースの背後に遊技機の他の構成部品が組み付けられた状態で、前記識別情報表示部の前記識別情報の少なくとも一部を視認可能にすることを特徴とする請求項１から６のいずれか一項に記載の遊技機。
【発明の詳細な説明】
【技術分野】
【０００１】
本発明は遊技機に関する。
【背景技術】
【０００２】
スロットマシン等の遊技機では、該遊技機を構成する種々の構成部品の製造元や製造日時等の管理を容易にするとともに、遊技機構成部品の交換時期を容易に判断できるようにするため、また、交換した遊技機構成部品の再利用等をスムーズに行なうことができるようにするために、遊技機構成部品を識別するためのコード化された２次元コードが表示される２次元コード表示部を設け（例えば、特許文献１参照）、この２次元コード表示部を携帯端末等（例えばバーコードリーダー）を用いて光学的に読み取ることによって機種交換やメンテナンス等に関連する製品管理を行なうようにすることが従来から提案され、また、実際に行なわれている。
【先行技術文献】
【特許文献】
【０００３】
【特許文献１】特開２００６−１２２１１８号
【発明の概要】
【発明が解決しようとする課題】
【０００４】
ところで、このような２次元コード表示部等の識別情報表示部は、バーコードやＱＲコード等の光学的に読み取られる２次元コードと共に遊技機構成部品の製造年月日やモデルナンバー等も表示される例えば管理コードシールの形態を成して遊技機構成部品に例えば貼り付けられるなどして付設される。
【０００５】
しかしながら、このような識別情報表示部を設けても、遊技機構成部品同士の組み付け状態によっては、識別情報表示部を外部から容易に視認できない場合がある。特に、遊技機の扉に取り付けられて機種交換やメンテナンス等に関連する製品管理に晒される機会が多い画像表示装置にあっては、例えば、管理コードシール（識別情報表示部）が貼り付けられるべき貼り付け領域が予め形成された表示装置本体を量産した後、この定められた貼り付け領域に対して管理コードシールを貼り付けて表示装置本体を完成させるとともに、この完成した表示装置本体に合わせた形状の表示装置ケースを設計してこれを表示装置本体の背後に組み付けるようにする場合もあり、そうした組み付け状態では管理コードシールを外部から容易に視認できない場合がある。２次元コードや、製造年月日、モデルナンバー等を外部から容易に把握（視認）できなければ、特に製品管理に晒され易いこのような画像表示装置においては、製品管理に支障を来たす虞がある。
【０００６】
本発明は、前記事情に鑑みてなされたもので、画像表示装置に付設される識別情報表示部を外部から容易に視認できる遊技機を提供することを目的とする。
【課題を解決するための手段】
【０００７】
前記目的を達成するために、本発明の遊技機は、正面開口部を有する筐体と、前記正面開口部を開閉可能に閉塞する扉と、前記扉に取り付けられるとともに、表示装置本体と、該表示装置本体の背後に取り付けられる表示装置ケースとを有する画像表示装置と、前記表示装置本体の背面に付設され、前記表示装置本体の識別情報が表示される識別情報表示部とを有し、前記表示装置ケースには、前記識別情報表示部の前記識別情報の少なくとも一部を前記画像表示装置の外側から視認可能にする孔部が設けられることを特徴とする。
【０００８】
本発明においては、画像表示装置の内側（表示装置本体の背面）に付設される識別情報表示部の識別情報の少なくとも一部を外側から視認できるようにする孔部が表示装置ケースに設けられるため、識別情報を画像表示装置の外部から例えば携帯端末等（例えばバーコードリーダー）を用いて光学的に読み取ることにより、または、目視により、容易に認識でき、したがって、製品管理等を迅速かつ効率的に行なうことが可能になる。
【０００９】
機種変更やメンテナンスに晒される機会が多く、異物侵入や不正アクセスが許されない電子部品を実装した画像表示装置においてこのような識別情報視認用の孔部を設けることは、製品管理上において特に有益であり、また、このような孔部は、画像表示装置が遊技機の扉に装着された状態において、少なくとも扉の開放状態で筐体外部から識別情報表示部の識別情報を視認可能にし得る。
【００１０】
また、前述したように管理コードシール（識別情報表示部）が貼り付けられるべき貼り付け領域が予め形成された表示装置本体を量産した後、この定められた貼り付け領域に対して管理コードシールを貼り付けて表示装置本体を完成させるとともに、この完成した表示装置本体に合わせた形状の表示装置ケースを設計してこれを表示装置本体の背後に組み付けるようにする場合には、識別情報の視認性を確保するための位置が限られてくるが、このような場合においても、上記構成のように表示装置ケースに設けられる孔部によって視認経路を確保すれば、省スペースで確実に識別情報を外部から視認できるようになる。
【００１１】
なお、上記構成において、識別情報表示部は、例えば、前述したように管理コードシールの形態を成して表示装置本体に例えば貼り付けられるなどして付設されてもよいが、その形態及び付設態様は限定されない。また、識別情報表示部に表示される識別情報としては、例えば、表示装置本体を識別するためのコード化された光学的に読み取り可能な２次元コード（例えば、バーコードやＱＲコード等）、表示装置本体の製造年月日やモデルナンバー等のその他の関連情報を挙げることができる。
【００１２】
また、本発明の前記構成において、孔部は、識別情報表示部の識別情報の全体を視認できるように開口していてもよく、あるいは、識別情報の一部のみを視認可能に開口していてもよい。いずれにしても、孔部は、識別情報表示部全体でなく、所望の識別情報を視認可能にすることにより、無駄なスペースを使用することなく最小限のスペースで必要な識別情報の読み取りを可能にすることが好ましい。
【００１３】
また、前記孔部は、識別情報の視認性を確保する機能以外の他の機能を更に有してもよい。そのような他の機能としては、例えば、表示装置本体に電気的に接続される電気ラインのための挿通開口としての機能を挙げることができる。
【００１４】
また、本発明の前記構成において、孔部は、上面と、下面と、両側の側面とによって識別情報の少なくとも一部を視認可能にする空間を画定し、少なくとも下面および側面は、表示装置本体と当接して側方および下方から空間を閉じることが好ましい。
【００１５】
このように、少なくとも側方および下方から識別情報視認空間が閉じられるようにすれば、そのような空間を通じて異物等が内側（表示装置本体側）へ侵入することを極力防止できる。特に内側の表示装置本体には電子部品等が配設されるため、異物による電気的な短絡も考えられることから、そのような空間を通じた異物の侵入を防止できれば、画像表示装置の故障等を回避でき、有益である。また、このような閉じられた空間は、内側（表示装置本体側）への不正なアクセスを防止することもできる。
【００１６】
また、本発明の前記構成において、孔部の上面は、識別情報表示部へ向けて下方へ傾斜する傾斜面として形成されることが好ましい。このような傾斜面を設けると、例えば識別情報を光学的に読み取るための光が識別情報表示部へ向けて入り込める角度を省スペースで効率的に前記空間にもたせることもできる。また、この傾斜面は、該傾斜面まで延びる両側の側面との協働により、空間的制約のある中で最小限のスペースで（最小限の加工作業で）、しかも、識別情報を光学的に読み取るための光の経路を十分に確保しつつ、識別情報表示部の視認を可能する空間を効率的に形成できるようにする。さらに、この傾斜面は、誤って内側（表示装置本体側）に侵入した異物を容易に取り出せるようにすることもできる。
【００１７】
また、本発明の前記構成において、孔部は、表示装置ケースの背後に遊技機の他の構成部品が組み付けられた状態で、識別情報表示部の識別情報の少なくとも一部を視認可能にすることが好ましい。このような構成によれば、遊技機構成部品の分解等を伴うことなく孔部によって識別情報表示部の識別情報を外部から容易に視認できる。
【発明の効果】
【００１８】
本発明の遊技機によれば、表示装置本体の背面に付設される識別情報表示部の識別情報の少なくとも一部を外側から視認できるようにする孔部が表示装置ケースに設けられるため、識別情報を画像表示装置の外部から例えば携帯端末等（例えばバーコードリーダー）を用いて光学的に読み取ることにより、または、目視により、容易に認識でき、したがって、製品管理等を迅速かつ効率的に行なうことが可能になる。
【図面の簡単な説明】
【００１９】
【図１】本発明の一実施の形態に係る遊技機の一例を示す全体斜視図である。
【図２】表示装置ケースを伴う画像表示装置の背面にサブ基板ユニットが取り付けられて成る構造体を背後から見た斜視図である。
【図３】図２の構造体からサブ基板ユニットを取り外した状態を示す画像表示装置全体の斜視図である。
【図４】画像表示装置の表示装置本体と表示装置ケースとを分解した状態を示す分解斜視図である。
【図５】表示装置ケース単体の背面側から見た全体斜視図である。
【図６】図５のＡ−Ａ線に沿う断面斜視図である。
【図７】図６の要部を拡大して示す縦断面斜視図である。
【図８】図５のＢ−Ｂ線に沿う要部拡大断面斜視図である。
【図９】図７に示される要部の横断面図である。
【図１０】表示装置ケースの孔部の変形例を示す図３に対応する斜視図である。
【発明を実施するための形態】
【００２０】
以下、本発明の実施の形態について図面を参照して説明する。  
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２１】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００２２】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２３】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００２４】
また、上扉３０の上部中央には、表示窓３１の上方に表示窓３２が設けられている。この表示窓３２は上扉３０に設けられた液晶パネルを有する画像表示装置１００（液晶ユニット；図３参照）の表示面を見るために設けられたものであり、この画像表示装置１００では、その表示面に遊技機における演出用の画像が表示されるようになっている。なお、画像表示装置１００は、演出用の画像を表示できるものであれば、液晶ディスプレイ以外のディスプレイであってもよい。
また、上扉３０の表示窓３１と表示窓３２との間には、意匠が施された意匠部６０が設けられている。また、上扉３０の表示窓３２の上部および左右両側部には、報知や演出などを行うためのランプ３３ａ,３３ｂが設けられている。
【００２５】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２６】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２７】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２８】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２９】
画像表示装置１００は、図２および図３に示すように、表示装置本体（または液晶モジュール）１０１と、表示装置ケース（または液晶ケース）１０２とを備えている。表示装置本体１０１は、略長方形板状となっており、略長方形板状の液晶パネルと、この液晶パネルを支持する略長方法形枠状のベゼル部とを備えている。なお、前記液晶パネルは、正面視略長方形の前述した表示面を備えている。そして、表示装置本体１０１は、この表示装置本体１０１の背面に一体的に取り付けられる図２に示される副制御基板ユニット（またはサブ基板ユニット）１０３に設けられる副制御基板から送られる制御信号を受けて、演出用の画像を前記表示面に表示する。なお、前記副制御基板とは、表示や音声や照明による演出を制御する基板をいう。
【００３０】
表示装置ケース１０２は、特に図５に示すように、略長方形板状の背面板１２０と、上側壁部１２１と、下側壁部１２２と、左側壁部１２３と、右側壁部１２４とを備えている。また、上側壁部１２１、下側壁部１２２、左側壁部１２３および右側壁部１２４は、背面板１２０の上下左右の各辺部から背面板１２０に対して直角に前方に向けて延びる板状の部材であって、透光性を有さない黒色の合成樹脂により背面板１２０と一体的に成形されている。また、上側壁部１２１、下側壁部１２２、左側壁部１２３および右側壁部１２４は、それぞれの前端面が面一になっているとともに、隣接する壁部同士が隙間なく並べられており、これらによって正面視略矩形環状の環状壁１２５を形成している。そして、表示装置ケース１０２は、背面板１２０と環状壁１２５とにより、正面側が開口した薄型の略長方形箱状となっており、表示装置ケース１０２の内側に表示装置本体１０１と図示しない枠体とが収容されるようになっている。
【００３１】
上側壁部１２１には、外側（上側）に突出する２つの凸部１２８，１２８が左右に離間して設けられており、それぞれの凸部１２８，１２８の内側に凹所（前側にあるため図５では見えない）が形成されている。また、下側壁部１２２にも、外側（下側）に突出する２つの凸部１２９，１２９が、左右に離間して設けられており、それぞれの凸部１２９，１２９の内側に凹所（前側にあるため図５では見えない）が形成されている。また、これら４つの各凹所には、背面板１２０から前方に向けて突出するボス（図示せず）が設けられている。
【００３２】
また、上側壁部１２１には、外側（上側）に突出するようにして、ネジ挿通孔を有する２つの表示装置取付部１２６が、左右に離間して設けられている。また、下側壁部１２２にも、外側（下側）に突出するようにして、ネジ挿通孔を有する２つの表示装置取付部１２７が、左右に離間して設けられている。
【００３３】
また、本実施の形態において、上扉３０の内側に着脱可能に取り付けられる画像表示装置１００の表示装置本体１０１の背面１０１ａには、図４に示すように識別情報表示部７０が付設される。特に、本実施の形態において、識別情報表示部７０は、例えば管理コードシールの形態を成して表示装置本体１０１の背面１０１ａに例えば貼り付けられるなどして付設されるが、その形態及び付設態様は限定されない。また、識別情報表示部７０に表示される識別情報としては、例えば、表示装置本体１０１を識別するためのコード化された光学的に読み取り可能な２次元コード（例えば、バーコードやＱＲコード等）、表示装置本体１０１の製造年月日やモデルナンバー等のその他の関連情報を挙げることができる。特に、本実施の形態では、図４に示すように、管理コードシール（識別情報表示部）７０の例えば上側領域に左右に分かれて、識別情報として、バーコード７２と、表示装置本体１０１の製造年月日、製造元、製造番号、モデルナンバー、ロット管理のための他の情報、リユースのための管理情報等を含む文字列からなる関連情報９５とが表示されているが、識別情報は２次元コードや文字列に限らず任意の形態を成すことができ、識別情報の表示位置も上側領域等に限定されず、また、識別情報表示部７０もシールに限定されず、任意の形態を成すことができる。
【００３４】
また、このような識別情報の少なくとも一部、特にバーコード７２は、本実施の形態では、表示装置本体１０１とこれに対応する表示装置ケース１０２との組み付けやリユース等に関連して、表示装置ケース１０２の背面板１２０に設けられる識別情報と結び付けられる（紐付けされる）。特に本実施の形態では、表示装置ケース１０２の背面板１２０の図５中の左下側付近に識別情報としてＱＲコード９９が付設されており、このＱＲコード９９の情報とバーコード７２の情報との関連付けより、製品管理の効率化等が図られる。
【００３５】
なお、本実施の形態では、一例として、管理コードシール（識別情報表示部）７０が貼り付けられるべき貼り付け領域が予め形成された表示装置本体１０１を量産した後、この定められた貼り付け領域に対して管理コードシール７０を貼り付けて表示装置本体１０１を完成させるとともに、この完成した表示装置本体１０１に合わせた形状の表示装置ケース１０２を設計してこれを表示装置本体１０１の背後に組み付けるようにしている。図４には、管理コードシール（識別情報表示部）７０が貼り付けられるべき貼り付け領域として、溝状の画定枠部９４が管理コードシール７０の四隅にマーキングされるように表示装置本体１０１の背面１０１ａに形成されるが、そのような貼り付け領域を画定する手段は、溝状でなくてもよく、また、管理コードシール７０の四隅のみならず、管理コードシール７０の全周を取り囲むように形成されてもよい。
【００３６】
また、本実施の形態において、このような表示装置本体１０１の背後に隣接して取り付けられる表示装置ケース１０２には、その内側に位置付けられる表示装置本体１０１の前述した管理コードシール（識別情報表示部）７０の識別情報の少なくとも一部を外側（背後）から視認可能にする孔部８０（図３参照）が、例えば背面板１２０の右上縁部付近で表示装置取付部１２６の下側にほぼ位置して設けられる。そのような孔部８０は、例えば携帯端末等（例えばバーコードリーダー）を用いて光学的に管理コードシール７０の識別情報の少なくとも一部を読み取ることができるようにする。特に、本実施の形態において、この孔部８０は、表示装置ケース１０２の背面側に他の遊技機構成部品としての副制御基板ユニット１０３が取り付けられた図２の状態でも、管理コードシール７０の識別情報の少なくとも一部、ここでは、少なくともバーコード７２の全体、好ましくは図７に最も明確に示されるように、管理コードシール７０の上側領域に位置されるバーコード７２のみを視認できるように背面側へ向けて開口する。すなわち、表示装置本体１０１と表示装置ケース１０２（及び／又は副制御基板ユニット１０３）とが組み付けられた図３（及び／又は図２）の状態では、孔部８０を通じてバーコード７２の全体を視認できる一方で、識別情報を構成する他の関連情報９５は表示装置ケース１０２によって隠される（孔部８０を通じて視認できない）ようになっている（図９参照）。なお、図９では、管理コードシール７０に表示される識別情報のうち、バーコード７２のみが黒く塗りつぶされて図示されている。
【００３７】
このような視認を可能にする孔部８０は、具体的には、図７に最も明確に示されるように、上面８０ａと、下面８０ｂａと、左右両側の側面８０ｃ，８０ｃとによって、管理コードシール７０の識別情報の少なくとも一部（本実施の形態では、バーコード７２の全体）を表示装置ケース１０２の外側（背面側）から視認可能にする内部空間Ｓを画定する。より具体的には、下面８０ｂａは、好ましくは後側（副制御基板ユニット１０３側）に向けてやや斜め上方に延びて両側面８０ｃ，８０ｃに接続するこの下面８０ｂａと、内部空間Ｓを背後側から閉じるように両側面８０ｃ，８０ｃに接続する後面８０ｂｂと、後面８０ｂｂの上端から内部空間Ｓへ向けて内側に延びて上面８０ａと部分的に対向する対向面８０ｂｃとを含む立ち壁８０ｂの一部を構成する。また、側面８０ｃ，８０ｃは、下面８０ｂａの両側から上方へ立ち上がるとともに、対向面８０ｂｃの両側で後方へと延在して、後方で開口する孔部８０の開口部８９を対向面８０ｂおよび上面８０ａとともに画定する。この場合、対向面８０ｂｃは、バーコード７２の全体を開口部８９から視認可能にする上側空間部Ｓ１と、ここから下方へ向けて管理コードシール７０の全体にわたって延在する下側空間部Ｓ２とに内部空間Ｓを部分的に仕切るように内側へ向けて延びている。また、上面８０ａは、本実施の形態では、開口部８９から管理コードシール７０へ向けて下方へ傾斜する傾斜面として形成される。
【００３８】
また、本実施の形態において、少なくとも下面８０ｂａおよび側面８０ｃは、表示装置本体１０１の背面１０１ａと当接して、側方および下方から内部空間Ｓを閉じるように位置される（図７参照）が、管理コードシール７０のバーコード７２の読み取りに支障を来さない限りにおいて上面８０ａも表示装置本体１０１の背面１０１ａに当接してもよい。
【００３９】
なお、図４に示すように、表示装置ケース１０２には、その下側領域の左右両側に位置して背面板１２０に電気ライン挿通孔１４０，１５０がさらに設けられる。具体的には、本実施の形態では、孔部８０の下方側に位置して第１の電気ライン挿通孔１４０が設けられるとともに、第１の電気ライン挿通孔１４０よりも左側に位置して第２の電気ライン挿通孔１５０が設けられる。これらの電気ライン挿通孔１４０，１５０には、表示装置本体１０１側の電気コネクタ１０９ａ，１０９ｂから延びる対応する電気ライン１７０，１８０が挿通され、また、これらの電気ライン１７０，１８０は、その端部の電気コネクタ１７２，１８２を介して、対応する電子部品に電気的に接続される。この場合、電気ライン挿通孔１４０，１５０は、特に図６および図８に明確に示されるように、これらの挿通孔１４０，１５０への電気ライン１７０，１８０の挿通時に挿通孔１４０，１５０の角張った縁部によってこれらの電気ライン１７０，１８０を傷付けない（または断線させない）ように、電気ライン１７０，１８０の滑らかな挿通を可能にするテーパ面（傾斜面）１４２，１５２を有する。
【００４０】
以上説明したように、本実施の形態においては、画像表示装置１００の内側（表示装置本体１０１の背面）に付設される識別情報表示部としての管理コードシール７０の識別情報の少なくとも一部（本実施の形態ではバーコード７２の全体）を外側から視認できるようにする孔部８０が表示装置ケース１０２に設けられるため、バーコード７２を画像表示装置の外部から例えば携帯端末等（例えばバーコードリーダー）を用いて光学的に読み取ることにより容易に認識でき、したがって、製品管理等を迅速かつ効率的に行なうことが可能になる。
【００４１】
機種変更やメンテナンスに晒される機会が多く、異物侵入や不正アクセスが許されない電子部品を実装した画像表示装置１００においてこのような識別情報視認用の孔部８０を設けることは、製品管理上において特に有益であり、また、このような孔部８０は、画像表示装置１００がスロットマシンＭの前扉３に装着された状態において、少なくとも前扉３の開放状態で筐体１の外部から管理コードシール７０の識別情報（本実施の形態ではバーコード７２）を視認可能にし得る。
【００４２】
また、本実施の形態のように、管理コードシール７０が貼り付けられるべき貼り付け領域９４が予め形成された表示装置本体１０１を量産した後、この定められた貼り付け領域９４に対して管理コードシール７０を貼り付けて表示装置本体１０１を完成させるとともに、この完成した表示装置本体１０１に合わせた形状の表示装置ケース１０２を設計してこれを表示装置本体１０１の背後に組み付ける場合には、識別情報の視認性を確保するための位置が限られてくるが、このような場合においても、上記構成のように表示装置ケース１０２に設けられる孔部８０によって視認経路を確保すれば、省スペースで確実に識別情報（バーコード７２）を外部から視認できるようになる。
【００４３】
また、本実施の形態において、孔部８０は、上面８０ａと、下面８０ｂａと、両側の側面８０ｃ，８０ｃとによって管理コードシール７０の識別情報の少なくとも一部（バーコード７２全体）を視認可能にする内部空間Ｓを画定し、少なくとも下面８０ａおよび側面８０ｃ，８０ｃは表示装置本体１０１と当接して側方および下方から内部空間Ｓを閉じている。このように、少なくとも側方および下方から識別情報視認空間Ｓが閉じられるようにすれば、そのような空間Ｓを通じて異物等が内側へ侵入することを極力防止できる。特に内側に電子部品等が配設されるような本実施の形態の場合には、異物による電気的な短絡も考えられることから、そのような空間Ｓを通じた異物の侵入を防止できれば、スロットマシンＭの故障等を回避でき、有益である。また、このような閉じられた空間Ｓは、内側への不正なアクセスを防止することもできる。
【００４４】
また、本実施の形態において、孔部８０の上面８０ａは、管理コードシール７０へ向けて下方へ傾斜する傾斜面として形成されている。このような傾斜面８０ａを設けると、例えばバーコード７２を光学的に読み取るための光が管理コードシール７０へ向けて入り込める角度を省スペースで効率的に空間Ｓにもたせることもできる。また、この傾斜面８０ａは、該傾斜面８０ａまで延びる両側の側面８０ｃ，８０ｃとの協働により、空間的制約のある中で最小限のスペースで（最小限の加工作業で）、しかも、バーコード７２を光学的に読み取るための光の経路を十分に確保しつつ、管理コードシール７０の識別情報の視認を可能する空間Ｓを効率的に形成できるようにする。さらに、この傾斜面８０ａは、誤って内側に侵入した異物を容易に取り出せるようにすることもできる。
【００４５】
また、本実施の形態において、孔部８０は、表示装置ケース１０２が副制御基板ユニット１０３と組み付けられた状態でも管理コードシール７０の識別情報の少なくとも一部を視認可能にする。したがって、画像表示装置１００から副制御基板ユニット１０３を取り外さなくても孔部８０によって管理コードシール７０の識別情報を外部から容易に視認でき、有益である。
【００４６】
なお、本発明は、前述した実施の形態に限定されず、その要旨を逸脱しない範囲で種々変形して実施できる。例えば、孔部の構造形態は、前述した実施形態に限定されず、外側から識別情報を視認できるような形態であればどのような形態であっても構わない。また、前述した実施の形態では、孔部８０を通じてバーコード７２の全体が視認できるようになっているが、例えば、図１０に示すように、バーコード７２の一部と、関連情報９５の全体又は一部とが孔部８０を通じて視認できるようになっていてもよい。具体的には、図１０の例では、孔部８０の左側端部領域で管理コードシール７０の上側領域に表示されるバーコード７２の端部を視認でき、そのバーコード７２の右側領域（管理コードシール７０の上側領域に位置される）で関連情報９５の全部を孔部８０を通じて視認できる。また、孔部８０は、識別情報の視認性を確保する機能以外の他の機能を更に有してもよい。そのような他の機能としては、例えば、表示装置本体に電気的に接続される電気ラインのための挿通開口としての機能を挙げることができる。これに関連して、図１０には、表示装置本体１０１に電気的に接続される電気ライン２００が孔部８０を貫通して延びている。また、前述した実施の形態の挿通孔１４０，１５０が孔部８０のように形成され、挿通孔１４０，１５０を通じてその内側の識別情報（図示せず）が視認できるようになっていてもよい。
【符号の説明】
【００４７】
１  筐体
３  前扉（扉）
３０  下扉
４０  上扉
７０  管理コードシール（識別情報表示部）
７２  バーコード（識別情報）
８０  孔部
８０ａ  上面（傾斜面）
８０ｂａ  下面
８０ｃ  側面
９５  関連情報（識別情報）
１００  画像表示装置
１０１  表示装置本体
１０２  表示装置ケース
１０３  副制御基板ユニット（他の構成部品）
Ｍ  スロットマシン（遊技機）
Ｓ  内部空間（空間）
【図１】
2019088466.tif 000003
【図２】
2019088466.tif 000004
【図３】
2019088466.tif 000005
【図４】
2019088466.tif 000006
【図５】
2019088466.tif 000007
【図６】
2019088466.tif 000008
【図７】
2019088466.tif 000009
【図８】
2019088466.tif 000010
【図９】
2019088466.tif 000011
【図１０】
2019088466.tif 000012
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
正面開口部を有する筐体と、
前記正面開口部を開閉可能に閉塞する扉と、
前記扉に取り付けられるとともに、表示装置本体と、該表示装置本体の背後に設けられる表示装置ケースとを有する画像表示装置と、
前記表示装置本体の背面に付設され、前記表示装置本体の識別情報が表示される識別情報表示部と、
を有し、
前記表示装置ケースには、前記識別情報表示部の前記識別情報の少なくとも一部を前記画像表示装置の外側から視認可能にする孔部が設けられ、
前記孔部は、前記表示装置本体に電気的に接続される電気ラインを挿通できるように開口することを特徴とする遊技機。
【手続補正２】
【補正対象書類名】明細書
【補正対象項目名】０００７
【補正方法】変更
【補正の内容】
【０００７】
前記目的を達成するために、本発明の遊技機は、正面開口部を有する筐体と、前記正面開口部を開閉可能に閉塞する扉と、前記扉に取り付けられるとともに、表示装置本体と、該表示装置本体の背後に設けられる表示装置ケースとを有する画像表示装置と、前記表示装置本体の背面に付設され、前記表示装置本体の識別情報が表示される識別情報表示部とを有し、前記表示装置ケースには、前記識別情報表示部の前記識別情報の少なくとも一部を前記画像表示装置の外側から視認可能にする孔部が設けられ、前記孔部は、前記表示装置本体に電気的に接続される電気ラインを挿通できるように開口することを特徴とする。
【手続補正３】
【補正対象書類名】明細書
【補正対象項目名】００１３
【補正方法】変更
【補正の内容】
【００１３】
また、前記孔部は、識別情報の視認性を確保する機能以外の他の機能を更に有する。そのような他の機能として、表示装置本体に電気的に接続される電気ラインのための挿通開口としての機能を有する。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
正面開口部を有する筐体と、
前記正面開口部を開閉可能に閉塞する扉と、
前記扉に取り付けられるとともに、表示装置本体と、該表示装置本体の背後に設けられる表示装置ケースとを有する画像表示装置と、
前記表示装置本体の背面に付設され、前記表示装置本体の識別情報が表示される識別情報表示部と、
を有し、
前記表示装置ケースには、前記識別情報表示部の前記識別情報の少なくとも一部を前記画像表示装置の外側から視認可能にするための孔部が設けられ、
前記孔部は、前記表示装置本体に電気的に接続される電気ラインを挿通するための開口であることを特徴とする遊技機。
【手続補正２】
【補正対象書類名】明細書
【補正対象項目名】０００７
【補正方法】変更
【補正の内容】
【０００７】
前記目的を達成するために、本発明の遊技機は、正面開口部を有する筐体と、前記正面開口部を開閉可能に閉塞する扉と、前記扉に取り付けられるとともに、表示装置本体と、該表示装置本体の背後に設けられる表示装置ケースとを有する画像表示装置と、前記表示装置本体の背面に付設され、前記表示装置本体の識別情報が表示される識別情報表示部とを有し、前記表示装置ケースには、前記識別情報表示部の前記識別情報の少なくとも一部を前記画像表示装置の外側から視認可能にするための孔部が設けられ、前記孔部は、前記表示装置本体に電気的に接続される電気ラインを挿通するための開口であることを特徴とする。